【手続補正書】
【提出日】平成16年5月14日(2004.5.14)
【手続補正１】
【補正対象書類名】明細書
【補正対象項目名】特許請求の範囲
【補正方法】変更
【補正の内容】
【特許請求の範囲】
【請求項１】  送信元の電子メールサーバと送信先の電子メールサーバを備える電子メールネットワークにおける電子メッセージングサービスの提供方法であって、電子メールは、前記送信元電子メールサーバから前記送信先電子メールサーバへ、電子メッセージ配信経路を介し、既存のインターネットインフラを通じて配信され得る、前記方法において、該方法は、
ａ）前記送信先電子メールサーバのＩＰアドレスを含むドメインネームサーバ登録を中間前処理サービスのＩＰアドレスを含むように変更することによって、前記中間前処理サービスを前記電子メッセージ配信経路の中に挿入する段階と、
ｂ）前記中間前処理サービスを通じてルーティングされた前記送信先電子メールサーバへアドレス指定されている電子メールメッセージデータを前記中間前処理サービスで受信する段階と、
ｃ）前記電子メールメッセージデータを前記中間前処理サービスで受信すると同時に、前記電子メールメッセージデータを処理し、該処理が前記送信先電子メールサーバへの配信を命令する場合には前記電子メールメッセージデータを前記送信先電子メールサーバへ配信する段階と、
を備えることを特徴とする方法。
【請求項２】  請求項１記載の方法において、前記処理は、前記中間前処理サービスにおける格納されたユーザ・プロファイルに従って前記電子メールメッセージデータに関して実行されるものであり、前記格納されたユーザ・プロファイルは、前記電子メールメッセージデータを備える電子メールメッセージがアドレス指定されているユーザと関連づけられている方法。
【請求項３】  請求項２記載の方法において、前記電子メールメッセージデータを備える、前記電子メールメッセージの全てに満たないものが、前記中間前処理サービスにて実行される処理に従って前記送信先電子メールサーバへ配信される方法。
【請求項４】  請求項２記載の方法において、前記処理が、前記電子メールメッセージの少なくとも一部を前記ユーザ・プロファイルで指定された送信先へマルチキャスティングする方法。
【請求項５】  請求項４記載の方法において、前記電子メールメッセージの異なる部分又はバージョンが、異なる送信先へ配信される方法。
【請求項６】  請求項５記載の方法において、前記送信先は少なくとも１つの無線装置を含む方法。
【請求項７】  請求項１記載の方法において、前記処理は、少なくとも１つのジャンクメールフィルタリングとウィルス検出とを含む方法。
【請求項８】  請求項７記載の方法において、更に、怪しい電子メールメッセージを特定し、その怪しい電子メールメッセージを格納はするが配信はしないことを備える方法。
【請求項９】  請求項８記載の方法において、更に、ユーザが、該ユーザにアドレス指定されている怪しい電子メールメッセージを検査するために、サーバにアクセスすることを備える方法。
【請求項１０】  請求項２記載の方法において、前記格納されたユーザ・プロファイルは、前記電子メッセージングサービスのエンド・ユーザであるユーザの設定を記述する方法。
【請求項１１】  請求項２記載の方法において、更に、ウェブページ上に自己登録情報を表示することを備え、前記送信先電子メールサーバ又はゲートウェイのオペレータ又は代理人が、前記中間前処理サービスを前記電子メッセージ配信経路に挿入させる方法。
【請求項１２】  請求項１記載の方法において、前記前処理は、前記電子メールメッセージデータを備える少なくとも１つの電子メールメッセージを、１つ以上の無線ネットワークゲートウェイへ配信する方法。
【請求項１３】  請求項１記載の方法において、前記処理は、前記電子メールメッセージのメディア部分を特定し、異なる電子コンテンツを前記メディア部分に置き換えることを含む方法。
【請求項１４】  請求項１３記載の方法において、前記異なる電子コンテンツが前記メディア部分から導出される方法。
【請求項１５】  請求項１４記載の方法において、前記異なる電子コンテンツが前記メディア部分を記述している方法。
【請求項１６】  請求項１４記載の方法において、更に、ユーザ行為に応じて、前記メディア部分の少なくとも一部を配信する方法。
【請求項１７】  請求項１記載の方法において、前記中間前処理サービスは送信ＳＭＴＰサーバからの接続を受け入れ、この接続を通じて電子メールメッセージデータを受信すると同時に、受信ＳＭＴＰサーバへの接続を開始する方法。
【請求項１８】  請求項１記載の方法において、該方法は、前記中間前処理サービスにおいて、該中間前処理サービスにおける標準的なメールサーバソフトウェアを提供することなく達成される方法。
【請求項１９】  送信元の電子メールサーバと送信先の電子メールサーバを備える電子メールネットワークで用いる電子メッセージ配信システムであって、電子メールは、前記送信元電子メールサーバから前記送信先電子メールサーバへ、電子メッセージ配信経路を介し、既存のインターネットインフラを通じて配信され得る、前記システムにおいて、該システムは、
ａ）中間前処理サービスであって、前記送信先電子メールサーバのＩＰアドレスを含むドメインネームサーバ登録を前記中間前処理サービスのＩＰアドレスを含むように変更することによって、前記電子メッセージ配信経路の中に挿入されるようになっている、前記中間前処理サービスと、
ｂ）前記中間前処理サービスによって受信された前記送信先電子メールサーバへアドレス指定されている電子メールメッセージデータと、
ｃ）前記電子メールメッセージデータを前記中間前処理サービスによって受信すると同時に、前記電子メールメッセージデータを処理するプロセッサであって、前記電子メールメッセージデータの処理が前記送信先電子メールサーバへの配信を命令する場合には前記電子メールメッセージデータは前記送信先電子メールサーバへ配信される、前記プロセッサと、
を備えることを特徴とするシステム。
【請求項２０】  請求項１９記載のシステムにおいて、前記プロセッサは、前記中間前処理サービスにおける格納されたユーザ・プロファイルに従って前記電子メールメッセージデータを処理するようになっており、前記格納されたユーザ・プロファイルは、前記電子メールメッセージデータを備える電子メールメッセージがアドレス指定されているユーザと関連づけられているシステム。
【請求項２１】  請求項１９記載のシステムにおいて、前記プロセッサは、電子メールメッセージデータを備える、前記電子メールメッセージの全てに満たないものが、前記中間前処理サービスにて実行される処理に従って前記送信先電子メールサーバへ配信されるようになっているシステム。
【請求項２２】  請求項１９記載のシステムにおいて、前記プロセッサは、前記電子メールメッセージの少なくとも一部を前記ユーザ・プロファイルで指定された送信先へマルチキャスティングするようになっているシステム。
【請求項２３】  請求項２２記載のシステムにおいて、前記電子メールメッセージの異なる部分又はバージョンが、異なる送信先へ配信されるシステム。
【請求項２４】  請求項２３記載のシステムにおいて、前記送信先は少なくとも１つの無線装置を含むシステム。
【請求項２５】  請求項１９記載のシステムにおいて、前記プロセッサは、ジャンク電子メールをフィルタリングし、ウィルスを検出するようになっているシステム。
【請求項２６】  請求項２５記載のシステムにおいて、前記プロセッサは、更に、怪しい電子メールメッセージを特定し、その怪しい電子メールメッセージを格納はするが配信はしないようになっているシステム。
【請求項２７】  請求項２６記載のシステムにおいて、更に、ユーザにアドレス指定されている怪しい電子メールメッセージを検査するために前記ユーザがアクセスすることができるサーバを備えるシステム。
【請求項２８】  請求項２０記載のシステムにおいて、前記格納されたユーザ・プロファイルは、前記システムのエンド・ユーザであるユーザの設定を記述するシステム。
【請求項２９】  請求項２０記載のシステムにおいて、更に、自己登録情報を表示するウェブページを備え、該ウェブページに、前記送信先電子メールサーバ又はゲートウェイのオペレータ又は代理人がアクセスして、前記中間前処理サービスを前記電子メッセージ配信経路に挿入させるシステム。
【請求項３０】  請求項１９記載のシステムにおいて、前記プロセッサは、更に、前記電子メールメッセージデータを備える少なくとも１つの電子メールメッセージを、１つ以上の無線ネットワークゲートウェイへ配信するようになっているシステム。
【請求項３１】  請求項１９記載のシステムにおいて、前記プロセッサは、更に、前記電子メールメッセージのメディア部分を特定し、異なる電子コンテンツを前記メディア部分に置き換えるようになっているシステム。
【請求項３２】  請求項３１記載のシステムにおいて、前記異なる電子コンテンツが前記メディア部分から導出されるシステム。
【請求項３３】  請求項３２記載のシステムにおいて、前記異なる電子コンテンツが前記メディア部分を記述しているシステム。
【請求項３４】  請求項３２記載のシステムにおいて、前記プロセッサは、更に、ユーザ行為に応じて、前記メディア部分の少なくとも一部を配信するようになっているシステム。
【請求項３５】  請求項１９記載のシステムにおいて、前記中間前処理サービスは、更に、送信ＳＭＴＰサーバからの接続を受け入れ、この接続を通じて電子メールメッセージデータを受信すると同時に、受信ＳＭＴＰサーバへの接続を開始するようになっているシステム。
【請求項３６】  請求項１９記載のシステムにおいて、前記プロセッサは、前記中間前処理サービスにおいて、該中間前処理サービスにおける標準的なメールサーバソフトウェアを提供することなく前記電子メールメッセージデータを処理するようになっているシステム。